(57)【要約】【課題】１の同期式測定装置で発生したイベントに同期させてすべての同期式測定装置に測定させる。【解決手段】トリガ出力端子３（３ａ〜３ｄ）をトリガ入力端子２（２ａ〜２ｄ）および処理部９のいずれかに接続するセレクタ４（４ａ〜４ｄ）と、自己ＩＤに対応するセレクタ４に対しては処理部９を、他のセレクタ４に対してはトリガ入力端子２をトリガ出力端子３に接続させるデコーダ６とを備え、処理部９は、トリガ条件を満たしたときに測定部７で測定された測定データＤｍを記憶部８に記憶させると共に自己ＩＤに対応するセレクタ４にトリガ信号Ｓ３を出力し、他のセレクタ４に接続されたトリガ入力端子２からトリガ信号Ｓ２を入力したときにそれに同期して測定部７に測定させて測定データＤｍを取得すると共にトリガ信号Ｓ２を入力したトリガ入力端子２に対応するＩＤに対応させて記憶部８に記憶させる。【選択図】図１
2010071908.tif 000002
【特許請求の範囲】
【請求項１】
信号を測定して当該信号についての測定データを出力する測定部、およびトリガ入力端子からトリガ信号を入力したときに前記測定部に対して前記信号の測定を実行させると共に前記測定データを取得して記憶部に記憶させる処理部を備えた同期式測定装置であって、
複数の前記トリガ入力端子と、
当該複数のトリガ入力端子に一対一で対応して配設された複数のトリガ出力端子と、
対応する前記トリガ入力端子および前記トリガ出力端子間にそれぞれ配設されて、当該トリガ出力端子を当該トリガ入力端子および前記処理部のいずれか一方に選択的に接続する複数のセレクタと、
前記複数のセレクタのうちの予め設定された自己の識別番号に対応する１つのセレクタに対しては前記処理部を前記トリガ出力端子に接続させ、かつ他のセレクタに対しては前記トリガ入力端子を前記トリガ出力端子に接続させるデコーダとを備え、
前記測定部は前記信号が予め設定されたトリガ条件を満たしたときに当該信号の測定を実行して前記測定データを出力可能に構成され、
前記処理部は、前記トリガ条件を満たしたときに前記測定部によって測定された前記測定データを取得して記憶部に記憶させると共に少なくとも前記１つのセレクタに対してトリガ信号を出力する処理と、前記他のセレクタに接続された前記トリガ入力端子から前記トリガ信号を入力したときに当該トリガ信号の入力に同期して前記測定部に対して前記信号の測定を実行させて前記測定データを取得すると共に当該取得した測定データと前記トリガ信号を入力した前記トリガ入力端子に対応する識別番号とを対応させて前記記憶部に記憶させる処理とを実行する同期式測定装置。
【請求項２】
前記処理部は、前記トリガ信号の出力後、前記自己の識別番号に対応する前記セレクタに接続されている前記トリガ入力端子から当該トリガ信号を入力したときに、前記出力しているトリガ信号の出力を停止する請求項１記載の同期式測定装置。
【請求項３】
請求項１または２記載の同期式測定装置を複数備え、１つの前記同期式測定装置の前記各トリガ出力端子が他の１つの前記同期式測定装置の前記各トリガ入力端子に接続されることにより、当該複数の同期式測定装置が全体としてリング状に接続されている同期式測定システム。
【発明の詳細な説明】
【技術分野】
【０００１】
本発明は、外部からトリガ信号を入力したときに、このトリガ信号の入力に同期して信号（測定対象体において発生する信号）を測定してその測定データを取得・記憶する同期式測定装置、および同期式測定システムに関するものである。
【背景技術】
【０００２】
この種の同期式測定装置として、下記特許文献１に開示されている測定装置（波形測定装置）が知られている。この測定装置は、１つのマスター（オシロスコープ）と１以上のスレーブ（オシロスコープ）とが、ハブを介して高速な通信回線で接続されて構成されている。この測定装置では、マスターが、スレーブに対して、トリガ情報や時間軸情報等の設定情報を出力すると共に、自らも同じ設定情報に基づいて測定を実行する。一方、スレーブは、マスターが出力したトリガ情報や時間軸情報等の設定情報を入力したときには、この設定情報に基づいて測定を実行すると共に、測定結果（測定した波形データ）をマスターに出力する。つまり、各スレーブは、マスターの測定に同期して測定を実行する。一方、マスターは、自身が測定した波形データ、および通信回線を介して入力したスレーブでの波形データを同時に表示する。したがって、この測定装置によれば、複数のオシロスコープを高速な通信回線によって接続して、チャンネル数を増加させることが可能となっている。
【特許文献１】特開２００３−２５４９９６号公報（第２−３頁、第１図）
【発明の開示】
【発明が解決しようとする課題】
【０００３】
ところが、上記の同期式測定装置には、以下の解決すべき課題がある。すなわち、この同期式測定装置では、スレーブはマスターからの設定情報の入力に同期して測定を実行している。したがって、この同期式測定装置には、１台の多チャンネルの測定装置として機能する場合において、１つのスレーブにおいて発生したイベントに同期させて、マスターおよび他のスレーブに対して測定を実行させることができないという課題が存在している。
【０００４】
本発明は、かかる課題に鑑みてなされたものであり、複数の同期式測定装置で構成した場合において、任意の１つの同期式測定装置において発生したイベントに同期させて、他のすべての同期式測定装置において測定を実行し得る同期式測定装置、および同期式測定システムを提供することを主目的とする。
【課題を解決するための手段】
【０００５】
上記目的を達成すべく請求項１記載の同期式測定装置は、信号を測定して当該信号についての測定データを出力する測定部、およびトリガ入力端子からトリガ信号を入力したときに前記測定部に対して前記信号の測定を実行させると共に前記測定データを取得して記憶部に記憶させる処理部を備えた同期式測定装置であって、複数の前記トリガ入力端子と、当該複数のトリガ入力端子に一対一で対応して配設された複数のトリガ出力端子と、対応する前記トリガ入力端子および前記トリガ出力端子間にそれぞれ配設されて、当該トリガ出力端子を当該トリガ入力端子および前記処理部のいずれか一方に選択的に接続する複数のセレクタと、前記複数のセレクタのうちの予め設定された自己の識別番号に対応する１つのセレクタに対しては前記処理部を前記トリガ出力端子に接続させ、かつ他のセレクタに対しては前記トリガ入力端子を前記トリガ出力端子に接続させるデコーダとを備え、前記測定部は前記信号が予め設定されたトリガ条件を満たしたときに当該信号の測定を実行して前記測定データを出力可能に構成され、前記処理部は、前記トリガ条件を満たしたときに前記測定部によって測定された前記測定データを取得して記憶部に記憶させると共に少なくとも前記１つのセレクタに対してトリガ信号を出力する処理と、前記他のセレクタに接続された前記トリガ入力端子から前記トリガ信号を入力したときに当該トリガ信号の入力に同期して前記測定部に対して前記信号の測定を実行させて前記測定データを取得すると共に当該取得した測定データと前記トリガ信号を入力した前記トリガ入力端子に対応する識別番号とを対応させて前記記憶部に記憶させる処理とを実行する。
【０００６】
また、請求項２記載の同期式測定装置は、請求項１記載の同期式測定装置において、前記処理部は、前記トリガ信号の出力後、前記自己の識別番号に対応する前記セレクタに接続されている前記トリガ入力端子から当該トリガ信号を入力したときに、前記出力しているトリガ信号の出力を停止する。
【０００７】
また、請求項３記載の同期式測定システムは、請求項１または２記載の同期式測定装置を複数備え、１つの前記同期式測定装置の前記各トリガ出力端子が他の１つの前記同期式測定装置の前記各トリガ入力端子に接続されることにより、当該複数の同期式測定装置が全体としてリング状に接続されている。
【発明の効果】
【０００８】
請求項１記載の同期式測定装置によれば、複数個をリング状に接続して同期式測定システムとして構成することにより、いずれか１つの同期式測定装置において、測定対象体において発生している信号についてトリガ条件が満足したというイベントが発生したときには、このイベントの発生に同期して、同期式測定システムを構成するすべての同期式測定装置において、それぞれが測定している測定対象体についての信号の測定データを、イベントが発生した（トリガ条件が満足した）１つの同期式測定装置の識別番号と共に記憶部に記憶することができる。また、このようにして各同期式測定装置の記憶部には、測定データと共に、この測定データの測定のトリガとなったイベントの発生した同期式測定装置の識別番号が記憶される結果、各同期式測定装置で測定された測定データの解析に際して、他の同期式測定装置で測定された測定データと見比べる必要がないため、解析に要する時間を短縮することができる。
【０００９】
また、請求項２記載の同期式測定装置によれば、処理部が、トリガ信号のトリガ出力端子からの出力後、自己識別番号に対応するセレクタに接続されているトリガ入力端子からトリガ信号を入力したときに、出力しているトリガ信号を停止することにより、一回のイベントの発生につき、各同期式測定装置に対して信号の測定を１回だけ実行させることができる。
【００１０】
また、請求項３記載の同期式測定システムによれば、いずれか１つの同期式測定装置において、測定対象体において発生している信号についてトリガ条件が満足したというイベントが発生したときには、このイベントの発生に同期して、同期式測定システムを構成するすべての同期式測定装置において、それぞれが測定している測定対象体についての信号の測定データを、イベントが発生した（トリガ条件が満足した）１つの同期式測定装置の識別番号と共に記憶部に記憶することができる。また、請求項２記載の同期式測定装置を用いて構成することにより、一回のイベントの発生につき、各同期式測定装置に対して信号の測定を１回だけ実行させることができる。
【発明を実施するための最良の形態】
【００１１】
以下、本発明に係る同期式測定装置およびこの同期式測定装置を用いた同期式測定システムの最良の形態について、添付図面を参照して説明する。
【００１２】
最初に、同期式測定装置１の構成について、図面を参照して説明する。
【００１３】
図１に示す同期式測定装置１は、信号の波形データ（後述する測定データＤｍ）を測定して記録・表示する波形測定装置であって、複数のトリガ入力端子２ａ，２ｂ，２ｃ，２ｄ（以下、特に区別しないときには「トリガ入力端子２」ともいう）、複数（トリガ入力端子２と同数）のトリガ出力端子３ａ，３ｂ，３ｃ，３ｄ（以下、特に区別しないときには「トリガ出力端子３」ともいう）、複数（トリガ入力端子２と同数）のセレクタ４ａ，４ｂ，４ｃ，４ｄ（以下、特に区別しないときには「セレクタ４」ともいう）、ＩＤ（IDentification）設定部５、デコーダ６、測定部７、記憶部８および処理部９を備え、後述するように、複数個（本例では一例として、同期式測定装置１ａ〜１ｄの４個）がリング状に接続されて同期式測定システム２１（図３参照）を構成可能となっている。
【００１４】
トリガ入力端子２は、リング状に接続される同期式測定装置１の個数分だけ配設されている。本例では、上記したように４個の同期式測定装置１で同期式測定システム２１を構成するため、４つのトリガ入力端子２ａ，２ｂ，２ｃ，２ｄが配設されている。トリガ出力端子３は、トリガ入力端子２と同数（同期式測定装置１の個数分）配設されて、各トリガ出力端子３ａ，３ｂ，３ｃ，３ｄが、トリガ入力端子２ａ，２ｂ，２ｃ，２ｄに一対一で対応している。
【００１５】
セレクタ４は、トリガ出力端子３と同様にして、トリガ入力端子２と同数（同期式測定装置１の個数分）設けられている。具体的には、対応するトリガ入力端子２ａおよびトリガ出力端子３ａ間にセレクタ４ａが、また対応するトリガ入力端子２ｂおよびトリガ出力端子３ｂ間にセレクタ４ｂが、対応するトリガ入力端子２ｃおよびトリガ出力端子３ｃ間にセレクタ４ｃが、対応するトリガ入力端子２ｄおよびトリガ出力端子３ｄ間にセレクタ４ｄがそれぞれ配設されている。各セレクタ４ａ，４ｂ，４ｃ，４ｄは、デコーダ６からそれぞれに対して出力されるデコード信号Ｓ１ａ，Ｓ１ｂ，Ｓ１ｃ，Ｓ１ｄ（以下、特に区別しないときには「デコード信号Ｓ１」ともいう）に基づき、対応するトリガ入力端子２ａ，２ｂ，２ｃ，２ｄおよび処理部９の対応する不図示の出力ポート（トリガ入力端子２と同数）のいずれか一方を選択して、対応するトリガ出力端子３ａ，３ｂ，３ｃ，３ｄに接続する。これにより、各セレクタ４ａ，４ｂ，４ｃ，４ｄは、入力したデコード信号Ｓ１に基づき、対応するトリガ入力端子２ａ，２ｂ，２ｃ，２ｄに入力されているトリガ信号Ｓ２ａ，Ｓ２ｂ，Ｓ２ｃ，Ｓ２ｄ（以下、特に区別しないときには「トリガ信号Ｓ２」ともいう）および処理部９の対応する出力ポートから出力されているトリガ信号Ｓ３ａ，Ｓ３ｂ，Ｓ３ｃ，Ｓ３ｄ（以下、特に区別しないときには「トリガ信号Ｓ３」ともいう）のうちの一方を選択して、対応するトリガ出力端子３ａ，３ｂ，３ｃ，３ｄに出力する。
【００１６】
ＩＤ（識別番号）設定部５は、同期式測定システム２１を構成する複数の同期式測定装置１を識別するための自己ＩＤ（自局（自己）の識別番号）が予め設定されている。本例では、一例として、ＩＤ設定部５は２ビットのディップスイッチで構成されて、十進数で「０」〜「３」のいずれかの数値が自己ＩＤとして設定可能となっている。このため、ＩＤ設定部５からは自己ＩＤとして設定された上記数値のうちのいずれか１つを示す２ビットのデータがＩＤデータＤｉｄとして出力される。
【００１７】
デコーダ６は、ＩＤ設定部５から出力されるＩＤデータＤｉｄに基づいて、複数のセレクタ４へのデコード信号Ｓ１を生成して出力する。本例では、デコーダ６は、ＩＤデータＤｉｄで特定される１つのセレクタ４のみに対して処理部９から出力されているトリガ信号Ｓ３をトリガ出力端子３に出力させる状態（内部出力状態）に移行させ、他のセレクタ４に対してはトリガ入力端子２に入力されているトリガ信号Ｓ２をトリガ出力端子３に出力させる状態（スルー状態）に移行させるデコード信号Ｓ１を生成して出力する。本例では、デコーダ６は、自己ＩＤとして「０」が設定されているときにはセレクタ４ａのみを内部出力状態に移行させるデコード信号Ｓ１を生成して出力する。同様にして、デコーダ６は、自己ＩＤとして「１」、「２」、「３」が設定されているときには、それぞれセレクタ４ｂ，４ｃ，４ｄのみを内部出力状態に移行させて、他のセレクタ４をスルー状態に移行させるデコード信号Ｓ１を生成して出力する。
【００１８】
測定部７は、不図示のプローブを介して測定対象体に接続される。また、測定部７は、プローブを介して測定対象体において発生する信号Ｓｍを入力すると共に、この信号Ｓｍが予め設定されたトリガ条件を満たしたというイベントが生じたときに内部トリガ信号Ｓ４を処理部９に出力すると共に、信号Ｓｍの測定を開始して測定データＤｍを処理部９に出力する。また、測定部７は、処理部９から測定開始を示す指示信号Ｓ５を入力したときにはトリガ条件に拘わらず、入力している測定対象体の信号Ｓｍの測定を開始して測定データＤｍを処理部９に出力する。記憶部８は、ＲＯＭおよびＲＡＭなどの半導体メモリで構成されて、処理部９の動作プログラムを記憶すると共に、処理部９に対するワークメモリとして機能する。処理部９は、一例としてＣＰＵおよびタイマ（時刻データを生成する構成要素）で構成されて、記憶部８に記憶されている動作プログラムに基づいて、図２に示す測定処理を実行する。また、処理部９は、ＩＤ設定部５から出力されるＩＤデータＤｉｄを入力することにより、自己ＩＤの設定内容を認識可能となっている。
【００１９】
次いで、同期式測定装置１についての単体での動作について図１，３を参照して説明する。
【００２０】
同期式測定装置１では、作動状態において、デコーダ６が、ＩＤ設定部５から出力されているＩＤデータＤｉｄをデコードして、デコード信号Ｓ１ａ，Ｓ１ｂ，Ｓ１ｃ，Ｓ１ｄを対応するセレクタ４ａ，４ｂ，４ｃ，４ｄに出力する。これにより、ＩＤ設定部５に予め設定されている自己ＩＤ（一例として「１」）に対応する１個のセレクタ４（自己ＩＤ「１」に対応するセレクタ４ｂ）のみが内部出力状態となり、他のセレクタ４（セレクタ４ａ，４ｃ，４ｄ）はスルー状態に移行する。また、測定部７は、測定対象体において発生する信号Ｓｍをプローブを介して入力して、この信号Ｓｍが予め設定されたトリガ条件を満たしているか否かの判別と、処理部９から指示信号Ｓ５が出力されているか否かの判別とを繰り返し実行している。
【００２１】
一方、処理部９は、図２に示す測定処理５０を開始して、測定部７から内部トリガとしての内部トリガ信号Ｓ４が出力されたか否か（イベントが発生したか否か）を検出する内部トリガ検出処理（ステップ５１）と、トリガ入力端子２に外部トリガとしてのトリガ信号Ｓ２が入力されたか否かを検出する外部トリガ検出処理（ステップ５２）とを繰り返し実行している（トリガ検出状態となっている）。
【００２２】
このトリガ検出状態において、内部トリガとしての内部トリガ信号Ｓ４を検出したとき（つまり、信号Ｓｍがトリガ条件を満たし、測定部７が信号Ｓｍの測定を開始したというイベントが発生したとき）には、処理部９は、トリガ信号Ｓ３の出力処理を実行する（ステップ５３）。具体的には、処理部９は、少なくとも自己ＩＤに対応する１つのセレクタ４に接続されている出力ポートからのトリガ信号Ｓ３の出力を開始する。本例では一例として、処理部９は、各セレクタ４に接続されているすべての出力ポートからのトリガ信号Ｓ３ａ，Ｓ３ｂ，Ｓ３ｃ，Ｓ３ｄの出力を開始する。これにより、自己ＩＤの設定内容（「１」）と一致するセレクタ４（本例ではセレクタ４ｂ）を経由して、このセレクタ４に接続されたトリガ出力端子３（本例ではトリガ出力端子３ｂ）からトリガ信号Ｓ３が出力され始める。なお、処理部９はＩＤ設定部５から出力されているＩＤデータＤｉｄに基づいて自己ＩＤの設定内容（「１」）と一致するセレクタ４（本例ではセレクタ４ｂ）を特定可能なため、自己ＩＤで特定されるこの１つのセレクタ４に接続されている出力ポートからのみトリガ信号Ｓ３を出力する構成（この例では、トリガ信号Ｓ３ｂのみに出力する構成）とすることもでき、この構成においても、自己ＩＤの設定内容と一致するセレクタ４に接続されたトリガ出力端子３からのみトリガ信号Ｓ３が出力される。
【００２３】
次いで、処理部９は、測定データ記憶処理を実行する（ステップ５４）。この測定データ記憶処理では、処理部９は、信号Ｓｍの測定を実行している測定部７から内部トリガ信号Ｓ４に続いて出力される測定データＤｍを入力して、自己ＩＤ（ＩＤデータＤｉｄ）およびタイマから取得した時刻データ（日時を示すデータ）と共に記憶部８に記憶させる。このようにして自己ＩＤに対応させて測定データＤｍを記憶させることで、この測定データＤｍが自局（内部）で生じたトリガに基づいて測定されたものであることが識別可能となる。続いて、処理部９は、自己ＩＤの設定内容に対応するトリガ入力端子２（本例ではトリガ入力端子２ｂ）に外部からトリガ信号Ｓ２が入力されているか否かの検出処理（戻りトリガ検出処理）を繰り返し実行する（ステップ５５）。同期式測定システム２１では、１つの同期式測定装置１におけるトリガ出力端子３から出力されたトリガ信号Ｓ３は、他の同期式測定装置１を経由してこの１つの同期式測定装置１におけるトリガ入力端子２に、トリガ信号Ｓ２（戻りトリガ）として入力される（戻る）ことになる。このため、処理部９は、ステップ５５において、戻りトリガとしてのトリガ信号Ｓ２を検出したときには、トリガ信号Ｓ３の出力ポートからの出力を停止する。本例では、処理部９は、上記したように各セレクタ４に接続されているすべての出力ポートからトリガ信号Ｓ３を出力しているため、すべての出力ポートからのトリガ信号Ｓ３の出力を停止する（ステップ５６）。これにより、測定処理が完了する。
【００２４】
一方、処理部９は、ステップ５１とステップ５２とを繰り返し実行しているトリガ検出状態において、このステップ５２でトリガ入力端子２への外部トリガとしてのトリガ信号Ｓ２（同期式測定システム２１における他の同期式測定装置１から出力されたトリガ信号Ｓ３）の入力を検出したときには、測定データ取得処理を実行する（ステップ５７）。この測定データ取得処理では、処理部９は、測定部７に指示信号Ｓ５を出力することにより、測定部７に対して測定対象体の信号Ｓｍの測定を強制的に開始させる。また、処理部９は、信号Ｓｍの測定を開始した測定部７から出力される測定データＤｍを入力して、外部トリガとしてのトリガ信号Ｓ２を入力したトリガ入力端子２に対応するＩＤおよびタイマから取得した時刻データと共に記憶部８に記憶させる。このようにしてトリガ入力端子２に対応するＩＤに対応させて測定データＤｍを記憶させることで、この測定データＤｍがこのＩＤで特定される他の同期式測定装置１の内部で生じたトリガに基づいて測定されたものであることが識別可能となる。この測定データ取得処理の完了により、測定処理が完了する。
【００２５】
続いて、図３に示す同期式測定システム２１について説明する。
【００２６】
まず、この同期式測定システム２１の構成について説明する。同期式測定システム２１は、同図に示すように、４個の同期式測定装置１ａ，１ｂ，１ｃ，１ｄ（以下、特に区別しないときには「同期式測定装置１」ともいう）が全体としてリング状に接続されて構成されている。具体的には、同期式測定装置１ａのトリガ出力端子３ａ，３ｂ，３ｃ，３ｄが、同期式測定装置１ｂのトリガ入力端子２ａ，２ｂ，２ｃ，２ｄにそれぞれ接続され、同期式測定装置１ｂのトリガ出力端子３ａ，３ｂ，３ｃ，３ｄが、同期式測定装置１ｃのトリガ入力端子２ａ，２ｂ，２ｃ，２ｄにそれぞれ接続され、同期式測定装置１ｃのトリガ出力端子３ａ，３ｂ，３ｃ，３ｄが、同期式測定装置１ｄのトリガ入力端子２ａ，２ｂ，２ｃ，２ｄにそれぞれ接続され、さらに同期式測定装置１ｄのトリガ出力端子３ａ，３ｂ，３ｃ，３ｄが、同期式測定装置１ａのトリガ入力端子２ａ，２ｂ，２ｃ，２ｄにそれぞれ接続されることにより、各同期式測定装置１ａ，１ｂ，１ｃ，１ｄがリング状に接続されている。
【００２７】
また、一例として、同期式測定装置１ａ，１ｂ，１ｃ，１ｄは、自己ＩＤとして「０」、「１」、「２」、「３」がそれぞれ設定されている。これにより、同期式測定装置１ａではセレクタ４ａのみが、同期式測定装置１ｂではセレクタ４ｂのみが、同期式測定装置１ｃではセレクタ４ｃのみが、同期式測定装置１ｄではセレクタ４ｄのみが、内部出力状態となっている。また、同期式測定装置１ａは第１測定対象体の信号Ｓｍ１を測定してその測定データＤｍ１を記憶し、同期式測定装置１ｂは第２測定対象体の信号Ｓｍ２を測定してその測定データＤｍ２を記憶し、同期式測定装置１ｃは第３測定対象体の信号Ｓｍ３を測定してその測定データＤｍ３を記憶し、同期式測定装置１ｄは第４測定対象体の信号Ｓｍ４を測定してその測定データＤｍ４を記憶する。なお、信号Ｓｍ１，Ｓｍ２，Ｓｍ３，Ｓｍ４について特に区別しないときには「信号Ｓｍ」ともいう。また、各測定データＤｍ１，Ｄｍ２，Ｄｍ３，Ｄｍ４について特に区別しないときには「測定データＤｍ」ともいう。
【００２８】
次いで、この同期式測定システム２１の動作について説明する。
【００２９】
この同期式測定システム２１では、各同期式測定装置１が上述した動作をそれぞれ実行している。したがって、各同期式測定装置１のうちのいずれかの同期式測定装置１において、この同期式測定装置１が測定している測定対象体の信号Ｓｍがトリガ条件を満たしたとき（イベントが発生したとき）には、この同期式測定装置１の処理部９が、測定部７によって測定された信号Ｓｍについての測定データＤｍを自己ＩＤに対応させて、時刻データと併せて記憶部８に記憶させると共に、この同期式測定装置１が自己ＩＤに対応するセレクタ４を介してトリガ出力端子３からトリガ信号Ｓ３を出力する。これにより、出力元の同期式測定装置１（イベント発生元の同期式測定装置１）から出力されたこのトリガ信号Ｓ３は、他のすべての同期式測定装置１に順次に伝達される。また、このトリガ信号Ｓ３は、出力元の同期式測定装置１のトリガ入力端子２に入力した時点で、出力元の同期式測定装置１によって出力が停止される。つまり、トリガ信号Ｓ３は、リング状に接続された各同期式測定装置１を１巡して停止される。
【００３０】
一方、トリガ信号Ｓ３の出力元ではない他のすべての同期式測定装置１では、出力元の同期式測定装置１によって出力されたトリガ信号Ｓ３をそれぞれのトリガ入力端子２から、外部トリガとしてのトリガ信号Ｓ２として入力して、自らの測定部７に対して測定対象体の信号Ｓｍの測定を強制的に開始させ、測定部７から出力される信号Ｓｍについての測定データＤｍを、トリガ信号Ｓ２を入力したトリガ入力端子２に対応するＩＤ（つまり、出力元の同期式測定装置１のＩＤ）に対応させてセレクタ４に記憶させる。したがって、この同期式測定システム２１では、いずれか１つの同期式測定装置１において、この同期式測定装置１が測定している信号Ｓｍについてトリガ条件が満足したとき、つまりイベントが発生したときには、これに同期して、同期式測定システム２１を構成するすべての同期式測定装置１が、それぞれが測定している測定対象体についての信号Ｓｍの測定データＤｍをトリガ条件が満足した１つの同期式測定装置１のＩＤと共に、時刻データと併せて記憶部８に記憶する。
【００３１】
このように、この同期式測定装置１によれば、複数個（２個以上）をリング状に接続して同期式測定システム２１として構成することにより、いずれか１つの同期式測定装置１において、信号Ｓについてトリガ条件が満足したというイベントが発生したときには、このイベントの発生に同期して、同期式測定システム２１を構成するすべての同期式測定装置１において、それぞれが測定している測定対象体についての信号Ｓｍの測定データＤｍを、イベントが発生した（トリガ条件が満足した）１つの同期式測定装置１のＩＤと共に記憶部８に記憶することができる。また、このようにして各同期式測定装置１の記憶部８には、測定データＤｍと共に、この測定データＤｍの測定のトリガとなったイベントの発生した同期式測定装置１のＩＤが記憶される結果、各同期式測定装置１で測定された測定データＤｍの解析に際して、他の同期式測定装置１で測定された測定データＤｍと見比べる必要がないため、解析に要する時間を短縮することができる。
【００３２】
また、この同期式測定装置１および同期式測定システム２１によれば、処理部９が、トリガ信号Ｓ３のトリガ出力端子３からの出力後、自己ＩＤに対応するセレクタ４に接続されているトリガ入力端子２からトリガ信号Ｓ２を入力したときに、出力しているトリガ信号Ｓ３を停止することにより、一回のイベントの発生につき、各同期式測定装置１に対して信号Ｓｍの測定を１回だけ実行させることができる。
【００３３】
なお、本発明は、上記の構成に限定されない。例えば、ＩＤデータＤｉｄを出力するためのＩＤ設定部５を設けているが、記憶部８にＩＤデータＤｉｄを予め記憶させておき、処理部９がデコーダ６にＩＤデータＤｉｄを出力する構成を採用することもできる。さらに、処理部９が記憶部８から読み取ったＩＤデータＤｉｄをデコードしてデコード信号Ｓ１を生成して出力する構成、つまり、処理部９にデコーダ６の機能を持たせる構成を採用することもできる。
【図面の簡単な説明】
【００３４】
【図１】同期式測定装置１の構成を示すブロック図である。
【図２】同期式測定装置１による測定処理５０のフローチャートである。
【図３】同期式測定システム２１の構成を示すブロック図である。
【符号の説明】
【００３５】
１  同期式測定装置
２ａ〜２ｄ  トリガ入力端子
３ａ〜３ｄ  トリガ出力端子
４ａ〜４ｄ  セレクタ
６  デコーダ
７  測定部
８  記憶部
９  処理部
２１  同期式測定システム
Ｄｍ  測定データ
Ｓ２ａ〜Ｓ２ｄ  トリガ信号
Ｓ３ａ〜Ｓ３ｄ  トリガ信号
Ｓｍ  信号
【図１】
2010071908.tif 000003
【図２】
2010071908.tif 000004
【図３】
2010071908.tif 000005